【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】
移動可能な光学手段と、
前記光学手段を手動により駆動する手動操作手段と、
前記光学手段を電動により駆動する電動駆動手段と、
前記電動駆動手段を駆動するための駆動指令信号に基づいて前記光学手段の電動または手動を判別する判別手段と、
前記判別手段の判別結果に基づいて、前記電動駆動手段から前記光学手段までの動力伝達経路の連結または分離を自動的に切り換える伝達機構切換手段とを有することを特徴とする光学装置。
【請求項２】
前記判別手段は、複数の信号発生源からの前記駆動指令信号に基づいて前記光学手段の電動または手動を判別することを特徴とする光学装置。
【請求項３】
前記電動駆動手段に駆動指令信号を出力するための電動操作部材を有することを特徴とする請求項１または２に記載の光学装置。
【請求項４】
移動可能な光学手段と、
前記光学手段を手動により駆動する手動操作手段と、
前記光学手段を電動により駆動する電動駆動手段と、
前記電動駆動手段に駆動指令信号を出力するための電動操作部材と、
前記電動操作部材の操作を検出する電動操作検出手段と、
前記電動操作検出手段の検出結果に基づいて前記光学手段の電動または手動を判別する判別手段と、
前記判別手段の判別結果に基づいて前記電動駆動手段から前記光学手段までの動力伝達経路の連結または分離を自動的に切り換える伝達機構切換手段とを有することを特徴とする光学装置。
【請求項５】
前記駆動指令信号を出力する複数の信号発生源としての複数の電動操作部材と、前記複数の電動操作部材の操作を検出する複数の電動操作検出手段を有することを特徴とする請求項４に記載の光学装置。
【請求項６】
前記判別手段は、前記電動駆動手段への速度指令である駆動指令信号に基づいて前記光学手段の電動または手動を判別する第１の判別手段と、前記電動駆動手段の前記光学手段の位置指令である駆動指令信号に基づいて前記光学手段の電動または手動を判別する第２の判別手段を有することを特徴とする請求項１乃至５のいずれか１項に記載の光学装置。
【請求項７】
複数の駆動指令信号が前記判別手段に入力されたとき、一つの駆動指令信号が優先的に指定されるアルゴリズムを有する優先順位指定手段を有することを特徴とする請求項１乃至６のいずれか１項に記載の光学装置。
【請求項８】
複数の駆動指令信号が前記判別手段に入力されたとき、一つの駆動指令信号が優先的に指定されるアルゴリズムを複数持ち、複数の前記アルゴリズムの中から一つを選択できる優先順位切換手段と、前記優先順位切換手段の設定を表示する表示手段を有することを特徴とする請求項１乃至６のいずれか１項に記載の光学装置。
【請求項９】
特定の電動操作部材からの前記駆動指令信号に対しては、前記伝達機構切換手段の切換えを無効とする信号発生源選別手段を有することを特徴とする請求項１乃至８のいずれか１項に記載の光学装置。
【請求項１０】
前記信号発生源選別手段で選別する信号発生源を切り換える信号発生源切換手段と、前記信号発生源選別手段で選別する信号発生源を表示する表示手段を有することを特徴とする請求項９に記載の光学装置。
【請求項１１】
前記光学手段の手動操作を検出する手動操作検出手段を備え、前記手動操作検出手段が前記光学手段の手動操作を検出した場合には、前記伝達機構切換手段を前記動力伝達経路の連結状態へ切り換えることを禁止することを特徴とする１乃至１０のいずれか１項に記載の光学装置。
【請求項１２】
前記手動操作検出手段は、前記光学手段の位置を検出する位置検出手段の検出結果および前記判別手段の判別結果から前記光学手段の手動操作を検出することを特徴とする請求項１１に記載の光学装置。
【請求項１３】
前記光学手段の手動操作中は前記駆動指令信号の有無にかかわらず前記伝達機構切換手段を前記動力伝達経路の連結状態へ切り換えることを禁止するマニュアル優先モードと、
前記光学手段の手動操作中であっても前記駆動指令信号がある場合には前記伝達機構切換手段を前記動力伝達経路の連結状態へ切り換えるノーマルモードとを備え、前記モードを切り換えるモード切換手段を有することを特徴とする請求項１１または１２に記載の光学装置。
【手続補正２】
【補正対象書類名】明細書
【補正対象項目名】０００６
【補正方法】変更
【補正の内容】
【０００６】
【課題を解決するための手段】
請求項１の発明の光学装置は、移動可能な光学手段と、
前記光学手段を手動により駆動する手動操作手段と、
前記光学手段を電動により駆動する電動駆動手段と、
前記電動駆動手段を駆動するための駆動指令信号に基づいて前記光学手段の電動または手動を判別する判別手段と、
前記判別手段の判別結果に基づいて、前記電動駆動手段から前記光学手段までの動力伝達経路の連結または分離を自動的に切り換える伝達機構切換手段とを有することを特徴としている。
【手続補正３】
【補正対象書類名】明細書
【補正対象項目名】０００７
【補正方法】変更
【補正の内容】
【０００７】
請求項２の発明は、請求項１の発明において、前記判別手段は、複数の信号発生源からの前記駆動指令信号に基づいて前記光学手段の電動または手動を判別することを特徴としている。
【手続補正４】
【補正対象書類名】明細書
【補正対象項目名】０００８
【補正方法】変更
【補正の内容】
【０００８】
請求項３の発明は、請求項１又は２の発明において、前記電動駆動手段に駆動指令信号を出力するための電動操作部材を有することを特徴としている。
【手続補正５】
【補正対象書類名】明細書
【補正対象項目名】０００９
【補正方法】変更
【補正の内容】
【０００９】
請求項４の発明の光学装置は、移動可能な光学手段と、
前記光学手段を手動により駆動する手動操作手段と、
前記光学手段を電動により駆動する電動駆動手段と、
前記電動駆動手段に駆動指令信号を出力するための電動操作部材と、
前記電動操作部材の操作を検出する電動操作検出手段と、
前記電動操作検出手段の検出結果に基づいて前記光学手段の電動または手動を判別する判別手段と、
前記判別手段の判別結果に基づいて前記電動駆動手段から前記光学手段までの動力伝達経路の連結または分離を自動的に切り換える伝達機構切換手段とを有することを特徴としている。
【手続補正６】
【補正対象書類名】明細書
【補正対象項目名】００１０
【補正方法】変更
【補正の内容】
【００１０】
請求項５の発明は、請求項４の発明において、前記駆動指令信号を出力する複数の信号発生源としての複数の電動操作部材と、前記複数の電動操作部材の操作を検出する複数の電動操作検出手段を有することを特徴としている。
【手続補正７】
【補正対象書類名】明細書
【補正対象項目名】００１１
【補正方法】変更
【補正の内容】
【００１１】
請求項６の発明は、請求項１乃至５のいずれか１項の発明において、前記判別手段は、前記電動駆動手段への速度指令である駆動指令信号に基づいて前記光学手段の電動または手動を判別する第１の判別手段と、前記電動駆動手段の前記光学手段の位置指令である駆動指令信号に基づいて前記光学手段の電動または手動を判別する第２の判別手段を有することを特徴としている。
【手続補正８】
【補正対象書類名】明細書
【補正対象項目名】００１２
【補正方法】変更
【補正の内容】
【００１２】
請求項７の発明は、請求項１乃至６のいずれか１項の発明において、複数の駆動指令信号が前記判別手段に入力されたとき、一つの駆動指令信号が優先的に指定されるアルゴリズムを有する優先順位指定手段を有することを特徴としている。
【手続補正９】
【補正対象書類名】明細書
【補正対象項目名】００１３
【補正方法】変更
【補正の内容】
【００１３】
請求項８の発明は、請求項１乃至６のいずれか１項の発明において、複数の駆動指令信号が前記判別手段に入力されたとき、一つの駆動指令信号が優先的に指定されるアルゴリズムを複数持ち、複数の前記アルゴリズムの中から一つを選択できる優先順位切換手段と、前記優先順位切換手段の設定を表示する表示手段を有することを特徴としている。
【手続補正１０】
【補正対象書類名】明細書
【補正対象項目名】００１４
【補正方法】変更
【補正の内容】
【００１４】
請求項９の発明は、請求項１乃至８のいずれか１項の発明において、特定の電動操作部材からの前記駆動指令信号に対しては、前記伝達機構切換手段の切換えを無効とする信号発生源選別手段を有することを特徴としている。
【手続補正１１】
【補正対象書類名】明細書
【補正対象項目名】００１５
【補正方法】変更
【補正の内容】
【００１５】
請求項１０の発明は、請求項９の発明において、前記信号発生源選別手段で選別する信号発生源を切り換える信号発生源切換手段と、前記信号発生源選別手段で選別する信号発生源を表示する表示手段を有することを特徴としている。
【手続補正１２】
【補正対象書類名】明細書
【補正対象項目名】００１６
【補正方法】変更
【補正の内容】
【００１６】
請求項１１の発明は、請求項１乃至１０のいずれか１項の発明において、前記光学手段の手動操作を検出する手動操作検出手段を備え、前記手動操作検出手段が前記光学手段の手動操作を検出した場合には、前記伝達機構切換手段を前記動力伝達経路の連結状態へ切り換えることを禁止することを特徴としている。
【手続補正１３】
【補正対象書類名】明細書
【補正対象項目名】００１７
【補正方法】変更
【補正の内容】
【００１７】
請求項１２の発明は、請求項１１の発明において、前記手動操作検出手段は、前記光学手段の位置を検出する位置検出手段の検出結果および前記判別手段の判別結果から前記光学手段の手動操作を検出することを特徴としている。
【手続補正１４】
【補正対象書類名】明細書
【補正対象項目名】００１８
【補正方法】変更
【補正の内容】
【００１８】
請求項１３の発明は、請求項１１又は１２の発明において、前記光学手段の手動操作中は前記駆動指令信号の有無にかかわらず前記伝達機構切換手段を前記動力伝達経路の連結状態へ切り換えることを禁止するマニュアル優先モードと、
前記光学手段の手動操作中であっても前記駆動指令信号がある場合には前記伝達機構切換手段を前記動力伝達経路の連結状態へ切り換えるノーマルモードとを備え、前記モードを切り換えるモード切換手段を有することを特徴としている。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００５７
【補正方法】変更
【補正の内容】
【００５７】
本実施形態例では、電動操作部材１７，５３，５５の出力信号（制御信号）から電動操作判別手段１９が移動レンズ群１の手動／電動を判断しているが、電動操作部材１７，５３，５５にフォトインタラプタ等を設けると共に、該電動操作部材１７，５３，５５の操作時の動作を検知する電動操作検知手段（電動操作検出手段）（図示せず）を別途設け、この電動操作検知手段の検知結果に基づいて、上記電動操作判別手段１９により移動レンズ群１の手動／電動を判別することも可能である。このように前記電動操作検知手段を別途設けることにより電動操作部材１７，５３，５５からの出力信号（駆動指令信号）に生じるノイズに起因する判別ミスを防ぐことができる。
【手続補正２１】
【補正対象書類名】明細書
【補正対象項目名】００６５
【補正方法】変更
【補正の内容】
【００６５】
また、優先順位指定手段５９の持つ優先順位決定アルゴリズムは複数のアルゴリズムの中から優先順位切換手段６０により選択することができ、用途に応じて優先順位を切り換えることができると同時に、優先的に選択される駆動指令源１７，５３，５６を表示部（表示手段）６１で確認することができる。
【手続補正２２】
【補正対象書類名】明細書
【補正対象項目名】００７４
【補正方法】変更
【補正の内容】
【００７４】
本実施形態例では、このような場合を考慮し、特定の駆動指令源（例えば、電動操作部材１７，５３）からの駆動指令信号に対しては、その駆動指令信号の有無に関わらず電動駆動を無効にするような信号源選別手段（信号発生源選別手段）６２を設けることを特徴としている。
【手続補正２３】
【補正対象書類名】明細書
【補正対象項目名】００７７
【補正方法】変更
【補正の内容】
【００７７】
また信号源選別手段６２には、複数の駆動指令源１７，５３，５６の中でどの駆動指令源からの電動駆動指令信号に対しては手動から電動に自動切り換えして移動レンズ群１を電動駆動するかを選択する信号源切換手段（信号発生源切換手段）６３を設けている。信号源切換手段６３は、例えばカメラ５６からの制御信号（電動駆動指令信号）のみ有効にして、レンズ装置５１の電動操作部材１７及びデマンド５２の電動操作部材５３からの制御信号（電動駆動指令信号）は無効にしたり、あるいはレンズ装置５１の電動操作部材１７及びデマンドの電動操作部材５３からの制御信号（電動駆動指令信号）のみ有効にして、カメラ５６からの制御信号（電動駆動指令信号）を無効にしたりすることができる。また、移動レンズ群１の電動駆動を意味する制御信号を全て無効にして、移動レンズ群１の移動をカメラマンによる操作リング７の手動操作の操作のみで行うようにすることも可能である。また、レンズ装置５１の電動操作部材１７とデマンド５２の電動操作部材５３の制御信号をまとめて信号処理しているが、それぞれ独立して信号処理することも可能である。さらに信号源切換手段６３には複数の駆動指令源１７，５３，５６の切り換え状況を表示する表示部（表示手段）６４を設け、信号源選別手段６２での複数の駆動指令源１７，５３，５６の設定状況（選択状態）が確認できるようになっている。
【手続補正２４】
【補正対象書類名】明細書
【補正対象項目名】００８５
【補正方法】変更
【補正の内容】
【００８５】
図８において、６６は手動操作検出手段であり、カメラマンが光学装置のマニュアル環を操作中か否かを検出している。１９の電動操作判別手段では移動レンズ群１が電動駆動か電動駆動ではないか（手動モード）を判別しているものであり、手動操作中か否かを判別するものではない。６５はレンズ位置検出手段であり、移動レンズ群１のレンズ位置を検出している。６８はレンズ動作状態検出手段であり、レンズ位置検出手段（位置検出手段）６５の検出値の差分演算から移動レンズ群１が動作しているか、あるいは停止しているかを検出している。